(57)【特許請求の範囲】
【請求項１】
第１課題行動を提示する情報処理装置であって、
記憶部と、達成度選択部と、課題行動設定部と、を備え、
前記記憶部は、行動情報と、難易度情報と、カテゴリー情報とを対応付けて記憶し、
前記達成度選択部は、前記第１課題行動の達成度について、達成選択肢、再行動選択肢又は未達成選択肢を選択可能に構成され、
前記課題行動設定部は、前記達成度選択部において、
前記未達成選択肢が選択された場合、前記記憶部を参照して、前記第１課題行動よりも難易度の低い第２課題行動を設定し、
前記第１課題行動の難易度が最も低い場合、前記記憶部を参照して、異なるカテゴリーの第２課題行動を設定する、
情報処理装置。
【請求項２】
請求項１に記載の情報処理装置において、
前記課題行動設定部は、前記達成度選択部において、
前記再行動選択肢が選択された場合、前記第１課題行動と同じ課題行動を設定する、
情報処理装置。
【請求項３】
請求項１又は請求項２に記載の情報処理装置において、
前記課題行動設定部は、前記達成度選択部において、
前記達成選択肢が選択された場合、前記第１課題行動よりも難易度の高い第２課題行動を設定し、
前記第１課題行動の難易度が最も高い場合、異なるカテゴリーの第２課題行動を設定する、
情報処理装置。
【請求項４】
請求項１〜請求項３の何れか１項に記載の情報処理装置において、
問診情報取得部をさらに備え、
前記問診情報取得部は、問診情報を取得し、
前記課題行動設定部は、前記問診情報に基づいて前記第１課題行動を設定する、
情報処理装置。
【請求項５】
請求項４に記載の情報処理装置において、
前記課題行動設定部は、ユーザーが達成済みの課題行動を前記第１課題行動として設定しない、
情報処理装置。
【請求項６】
請求項１〜請求項５の何れか１項に記載の情報処理装置において、
前記課題行動設定部は、前記達成度選択部において、
前記未達成選択肢が選択された場合、前記第１課題行動とは異なるカテゴリーの第２課題行動を設定する、
情報処理装置。
【請求項７】
請求項１〜請求項６の何れか１項に記載の情報処理装置において、
前記課題行動設定部は、前記達成度選択部において、
所定時間、何も選択されなかった場合、前記第１課題行動と同じ課題行動を設定する、
情報処理装置。
【請求項８】
請求項１〜請求項７の何れか１項に記載の情報処理装置において、
前記達成度選択部は、前記第１課題行動の達成度について、達成選択肢、再行動選択肢又は未達成選択肢を、１日のうちの所定時間に選択可能に構成される、
情報処理装置。
【請求項９】
コンピュータが、第１課題行動を提示する情報処理方法であって、
達成度選択工程と、課題行動設定工程と、を備え、
前記達成度選択工程は、前記第１課題行動の達成度について、達成選択肢、再行動選択肢又は未達成選択肢を選択可能とし、
前記課題行動設定工程は、前記達成度選択工程において、
前記未達成選択肢が選択された場合、行動情報と、難易度情報と、カテゴリー情報とを対応付けて記憶する記憶部を参照して、前記第１課題行動よりも難易度の低い第２課題行動を設定し、
前記第１課題行動の難易度が最も低い場合、前記記憶部を参照して、異なるカテゴリーの第２課題行動を設定する、
情報処理方法。
【請求項１０】
プログラムであって、
コンピュータを、請求項１〜請求項８の何れか１項に記載の情報処理装置の各部として機能させるための、
プログラム。
【発明の詳細な説明】
【技術分野】
【０００１】
本発明は、情報処理装置、情報処理方法及びプログラムに関する。
【背景技術】
【０００２】
ユーザーからの問診情報と生体情報とに基づいて、課題行動を当該ユーザーの端末に出力する情報処理方法が開示されている（例えば、特許文献１参照。）。
【先行技術文献】
【特許文献】
【０００３】
【特許文献１】ＷＯ２０２０／０５９７９４号
【発明の概要】
【発明が解決しようとする課題】
【０００４】
生活習慣病患者は、生活習慣を改善しない限りは、生活習慣病を治癒することが困難である。そこで、特許文献１に開示された情報処理方法によって課題行動を患者に課すことが考えられるが、当該情報処理方法は、課題行動の設定のためにその都度アンケートを患者に実施する必要があるため、患者が面倒に感じる場合が多いという問題があった。
【０００５】
本発明では上記事情を鑑み、ユーザーが手軽に生活習慣を改善できる情報処理装置を提供することとした。
【課題を解決するための手段】
【０００６】
本発明の一態様によれば、ユーザーに第１課題行動を提示する情報処理装置が提供される。この情報処理装置は、達成度選択部と、課題行動設定部と、を備える。達成度選択部は、第１課題行動の達成度について、達成選択肢、再行動選択肢又は未達成選択肢を選択可能に構成される。課題行動設定部は、達成度選択部において、未達成選択肢が選択された場合、第１課題行動よりも難易度の低い第２課題行動を設定する。第１課題行動の難易度が最も低い場合、異なるカテゴリーの第２課題行動を設定する。
【０００７】
上記の開示によれば、ユーザーが手軽に生活習慣を改善できる情報処理装置を提供することができる。
【図面の簡単な説明】
【０００８】
【図１】情報処理装置１００の構成を示す図である。
【図２】制御部１１０の機能構成を示す図である。
【図３】記憶部１２０の機能構成を示す図である。
【図４】表示部１３０に表示された第１課題行動２１０の一例を示す図である。
【図５】表示部１３０に表示された第１課題行動２１０の達成度を選択する画面である。
【図６】情報処理装置１００による情報処理を示すアクティビティ図である。
【図７】制御部１１０の機能構成を示す図である。
【発明を実施するための形態】
【０００９】
以下、図面を用いて本発明の実施形態について説明する。以下に示す実施形態中で示した各種特徴事項は、互いに組み合わせ可能である。
【００１０】
ところで、本実施形態に登場するソフトウェアを実現するためのプログラムは、コンピュータが読み取り可能な非一時的な記録媒体として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよいし、クライアント端末にインストールされた状態において、当該クライアント端末のみで動作するように提供されてもよい。
【００１１】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１２】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１３】
＜第１実施形態＞
第１実施形態について説明する。
【００１４】
１．情報処理装置１００の構成
図１は、情報処理装置１００の構成を示す図である。図１に示すように、情報処理装置１００は、制御部１１０、記憶部１２０、表示部１３０、入力部１４０及び通信部１５０を備える。制御部１１０は、ＣＰＵ（Ｃｅｎｔｒａｌ  Ｐｒｏｃｅｓｓｉｎｇ  Ｕｎｉｔ）等であって、情報処理装置１００の全体を制御する。記憶部１２０は、種々のプログラム及びデータを記憶するものであり、例えばメモリ、ＨＤＤ（Ｈａｒｄ  Ｄｉｓｋ  Ｄｒｉｖｅ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。また、記憶部１２０は、プログラム、制御部１１０がプログラムに基づき処理を実行する際に用いるデータ等を記憶する。なお、記憶部１２０に関して、少なくとも一部の情報が記憶部１２０以外の外部サーバに記憶されていてもよいし、複数の端末にブロックチェーン技術等を用いて分散して記憶されていてもよい。
【００１５】
表示部１３０は、テキスト、画像（静止画及び動画を含む）を表示するものであり、任意のディスプレイにより構成される。入力部１４０は、情報処理装置１００に種々の情報を入力するものであり、マウス、キーボード、ポインティングデバイス等により構成される。通信部１５０は、ＮＩＣ（Ｎｅｔｗｏｒｋ  Ｉｎｔｅｒｆａｃｅ  Ｃａｒｄ）等であって、情報処理装置１００をネットワークに接続し、他の装置又は構成要素と有線又は無線によりデータ通信可能に構成される。
【００１６】
２．情報処理装置１００の機能構成
情報処理装置１００は、ユーザーに第１課題行動２１０を提示する。ここで、第１課題行動２１０とは、例えば、インスリン非依存糖尿病、肥満、高脂血症、高尿酸血症、循環器病、大腸がん、歯周病、肺扁平上皮がん、慢性気管支炎、肺気腫、アルコール性肝疾患等の生活習慣病について、生活習慣の改善につながる可能性のある課題行動のことである。当該課題行動は、食事、運動、喫煙、飲酒に関するものが含まれる。
【００１７】
また、情報処理装置１００は、ユーザーに第２課題行動を提示する。ここで、第２課題行動は、上記の生活習慣病について、生活習慣の改善につながる可能性のある行動として、第１課題行動２１０の次に設定される課題行動のことである。当該課題行動は、食習慣に関するもの、運動習慣に関するもの、休養に関するもの、喫煙に関するもの、飲酒に関するもの、が含まれる。
【００１８】
図２は、制御部１１０の機能構成を示す図である。図２に示すように、制御部１１０は、達成度選択部１１１及び課題行動設定部１１２を備える。達成度選択部１１１は、第１課題行動２１０の達成度について、達成選択肢３１０、再行動選択肢３２０又は未達成選択肢３３０を選択可能に構成される。課題行動設定部１１２については後述する。また、達成選択肢３１０、再行動選択肢３２０及び未達成選択肢３３０については後述する。
【００１９】
図３は、記憶部１２０の機能構成を示す図である。図３に示すように、記憶部１２０は、行動情報１２１、難易度情報１２２及びカテゴリー情報１２３を記憶している。行動情報１２１は、第１課題行動２１０及び第２課題行動の情報のことである。すなわち、行動情報１２１は、第１課題行動２１０及び第２課題行動について、上記した生活習慣病の改善につながる可能性のある課題行動を記憶している。
【００２０】
難易度情報１２２は、上記課題行動の難易度を記憶している。ここで、難易度として、例えば、１〜１０の数字を課題行動に割り当て、１が最も難易度が高く、１０が最も難易度が低いというように関連付けをしてもよい。カテゴリー情報１２３は、課題行動をカテゴリー毎に分別して記憶している。ここで、カテゴリーとは、例えば、食習慣に関するもの、運動習慣に関するもの、休養に関するもの、喫煙に関するもの、飲酒に関するもの、を示す。
【００２１】
３．情報処理
図４は、表示部１３０に表示された第１課題行動２１０の一例を示す図である。第１課題行動２１０は、１日の所定時間、例えば、午前７時に表示される。なお、第１課題行動２１０が表示される時間は適宜設定できる。このように、１日の所定時間に第１課題行動２１０が表示されることにより、当該１日において生活習慣病の改善の気づきを得ることができる。
【００２２】
図４に示すように、記憶部１２０には、行動情報１２１として、第１課題行動２１０は、一般生活において難易度の低いものが記憶されている。すなわち、難易度が最も高い第１課題行動２１０であっても、達成はそれほど困難ではないように設計されている。このように設計することで、第１課題行動２１０を比較的容易に達成できる、すなわち、ユーザーは、第１課題行動２１０を繰り返し達成することで自己効力感が高まり、情報処理装置１００を使用し続けることによる健康へのステップ（結果）を容易に予測できる状況を認知することで、健康への行動変容が起こる状況を作り出すことが可能となる。
【００２３】
図５は、表示部１３０に表示された第１課題行動２１０の達成度を選択する画面である。図５に示すように、ここでは、メッセージ２１１が表示されている。メッセージ２１１は、達成選択肢３１０、再行動選択肢３２０及び未達成選択肢３３０とともに表示されると好ましい。ユーザーは、メッセージ２１１を確認することによって、その日における生活習慣病を改善する行動、すなわち、第１課題行動２１０を思い出すことにつながるため、生活習慣病の改善に対する意識を高めることができる。
【００２４】
達成度選択部１１１は、達成選択肢３１０、再行動選択肢３２０及び未達成選択肢３３０を表示部１３０に選択可能に表示する。達成選択肢３１０は、第１課題行動２１０を達成したときに選択するものである。再行動選択肢３２０は、第１課題行動２１０を達成したか否かに関わらず、もう一度同じ第１課題行動２１０に挑戦したいときに選択するものである。未達成選択肢３３０は、第１課題行動２１０を達成できなかったときに選択するものである。
【００２５】
図６は、情報処理装置１００による情報処理を示すアクティビティ図である。記憶部１２０に記憶されているプログラムに基づいて制御部１１０が処理を実行することにより、コンピュータを、情報処理装置１００の各部として機能させる。
【００２６】
（Ａ１１０）ユーザーが第１課題行動２１０を達成できた場合にはＡ１２０に移行し、達成できなかった場合はＡ１４０に移行する。（Ａ１２０）課題行動設定部１１２は、達成度選択部１１１において、再行動選択肢３２０が選択された場合、第１課題行動２１０と同じ課題行動を設定し（Ａ１２１）、処理を終了する。課題行動設定部１１２は、達成度選択部１１１において、達成選択肢３１０が選択された場合、Ａ１３０に移行する。
【００２７】
（Ａ１３０）課題行動設定部１１２は、達成度選択部１１１において、第１課題行動２１０の難易度が最も高いものではなかった場合、第１課題行動よりも難易度の高い第２課題行動を設定し（Ａ１３１）、処理を終了する。課題行動設定部１１２は、達成度選択部１１１において、第１課題行動２１０の難易度が最も高い場合、異なるカテゴリーの第２課題行動を設定し（Ａ１３２）、処理を終了する。
【００２８】
（Ａ１４０）課題行動設定部１１２は、達成度選択部１１１において、再行動選択肢３２０が選択された場合、第１課題行動２１０と同じ課題行動を設定し（Ａ１４１）、処理を終了する。課題行動設定部１１２は、達成度選択部１１１において、未達成選択肢３３０が選択された場合、Ａ１５０に移行する。
【００２９】
（Ａ１５０）課題行動設定部１１２は、達成度選択部１１１において、第１課題行動２１０の難易度が最も低いものではなかった場合、第１課題行動２１０よりも難易度の低い第２課題行動を設定し（Ａ１５１）、処理を終了する。課題行動設定部１１２は、達成度選択部１１１において、第１課題行動２１０の難易度が最も低い場合、異なるカテゴリーの第２課題行動を設定し（Ａ１５２）、処理を終了する。
【００３０】
以上をまとめると、この情報処理方法は、ユーザーに第１課題行動２１０を提示する情報処理方法である。この情報処理方法は、達成度選択工程と、課題行動設定工程と、を備える。達成度選択工程は、第１課題行動２１０の達成度について、達成選択肢３１０、再行動選択肢３２０又は未達成選択肢３３０を選択可能とする。課題行動設定工程は、達成度選択工程において、未達成選択肢３３０が選択された場合、第１課題行動２１０よりも難易度の低い第２課題行動を設定する。ここで、第１課題行動の難易度が最も低い場合、異なるカテゴリーの第２課題行動を設定する。
【００３１】
なお、情報処理装置１００は、スマートフォン、パソコン、テレビ、タブレット等の端末であってもよいし、サーバーシステムを介して当該端末で実行されるものであってもよい。
【００３２】
第１実施形態において、所定の課題行動を簡単で難易度の低いものに分類し、その課題行動の達成を繰り返すことで、継続的に簡単な課題行動を達成することができ、自己効力感が高まり、結果として生活習慣病の改善につながるような行動変容が起きることが期待される。
【００３３】
＜第２実施形態＞
第２実施形態について説明する。第２実施形態では、第１実施形態と重複する部分の説明は適宜省略する。
【００３４】
図７は、制御部１１０の機能構成を示す図である。制御部１１０は、問診情報取得部１１３をさらに備えると好ましい。問診情報取得部１１３は、ユーザーから問診情報を取得する。具体的には、ユーザーは、情報処理装置１００を使用開始したときに、例えば、一日の飲酒量、一日の喫煙本数、一日の運動時間、一日の睡眠時間、一日の服薬の頻度、などを問診情報取得部１１３に入力する。そして、課題行動設定部１１２は、問診情報に基づいて第１課題行動２１０を設定する。具体的には、例えば、問診情報取得部１１３によって、ユーザーが薬アレルギーであるという問診情報が取得された場合、課題行動設定部１１２は、服薬に関する第１課題行動２１０を設定しないこととする。
【００３５】
第２実施形態において、問診情報からユーザーが改善したほうがよい課題行動に係る情報を得ることができるため、生活習慣病を改善するために適切な第１課題行動２１０を設定することができる。
【００３６】
＜第３実施形態＞
第３実施形態について説明する。第３実施形態では、第１実施形態及び第２実施形態と重複する部分の説明は適宜省略する。
【００３７】
課題行動設定部１１２は、ユーザーが達成済みの課題行動を第１課題行動２１０として設定しないことが好ましい。ここで、ユーザーが達成済みの課題行動とは、例えば、ユーザーが所定のカテゴリーにおける最も難易度が高い第１課題行動２１０を達成済みであること、又は、飲酒を行っていないユーザーにおける飲酒についての第１課題行動２１０のこと、を示す。すなわち、例えば、飲酒を行っていないユーザーに対して、第１課題行動２１０として飲酒についての第１課題行動２１０を設定しないことが好ましい。ユーザーが達成済みの課題行動については、例えば、問診情報取得部１１３から取得することができる。
【００３８】
第３実施形態において、問診情報に基づいて不適切な第１課題行動２１０を排除することができるため、生活習慣病を改善するために適切な第１課題行動２１０を設定することができる。
【００３９】
＜第４実施形態＞
第４実施形態について説明する。第４実施形態では、第１実施形態、第２実施形態及び第３実施形態と重複する部分の説明は適宜省略する。
【００４０】
課題行動設定部１１２は、達成度選択部１１１において、未達成選択肢３３０が選択された場合、第１課題行動２１０とは異なるカテゴリーの第２課題行動を設定すると好ましい。すなわち、例えば、１日に日本酒を２合飲んでいるユーザーに対して、日本酒を１合までにするという第１課題行動２１０が達成できなかった場合、散歩を３０分するという第２課題行動を設定する。
【００４１】
第４実施形態において、あるカテゴリーに属する第１課題行動２１０が達成できなかった場合は、異なるカテゴリーの第２課題行動を設定することにより、異なる観点から課題行動に挑戦できるため、第１課題行動２１０が達成できなかったことによる罪悪感が生じにくくなるとともに、ユーザーにとって気分転換となる。
【００４２】
＜第５実施形態＞
第５実施形態について説明する。第５実施形態では、第１実施形態、第２実施形態、第３実施形態及び第４実施形態と重複する部分の説明は適宜省略する。
【００４３】
課題行動設定部１１２は、達成度選択部１１１において、所定時間、何も選択されなかった場合、第１課題行動２１０と同じ課題行動を設定すると好ましい。第５実施形態は、何も選択されなかった場合における処理として機能する。
【００４４】
第５実施形態において、ユーザーによっては、第１課題行動２１０に対する達成選択肢３１０、再行動選択肢３２０又は未達成選択肢３３０を選択し忘れる場合が考えられる。この場合の処理として、第１課題行動２１０と同じ課題行動を設定することにより、ユーザーが同じ課題行動が設定されたと認識することで、選択のし忘れの防止につながり、さらに、同じ課題行動（第１課題行動２１０）の達成に向けて挑戦することができる。
【００４５】
＜第６実施形態＞
第６実施形態について説明する。第６実施形態では、第１実施形態、第２実施形態、第３実施形態、第４実施形態及び第５実施形態と重複する部分の説明は適宜省略する。
【００４６】
達成度選択部１１１は、第１課題行動２１０の達成度について、達成選択肢３１０、再行動選択肢３２０又は未達成選択肢３３０を、１日のうちの所定時間に選択可能に構成されると好ましい。ここで、１日のうちの所定時間とは、例えば、午後９時であるとか、平日は午後９時で休日は午後１０時、というように、ユーザーにとって都合がよい時間のことを示す。
【００４７】
第６実施形態において、１日のうちの所定時間に各選択肢を選択できるため、各選択肢の選択し忘れを防止することができる。すなわち、各選択肢を選択することが毎日のルーティンになる。
【００４８】
次に記載の各態様で提供されてもよい。
前記情報処理装置において、前記課題行動設定部は、前記達成度選択部において、前記再行動選択肢が選択された場合、前記第１課題行動と同じ課題行動を設定する、情報処理装置。
前記情報処理装置において、前記課題行動設定部は、前記達成度選択部において、前記達成選択肢が選択された場合、前記第１課題行動よりも難易度の高い第２課題行動を設定し、ここで、前記第１課題行動の難易度が最も高い場合、異なるカテゴリーの第２課題行動を設定する、情報処理装置。
前記情報処理装置において、問診情報取得部をさらに備え、前記問診情報取得部は、前記ユーザーから問診情報を取得し、前記課題行動設定部は、前記問診情報に基づいて前記第１課題行動を設定する、情報処理装置。
前記情報処理装置において、前記課題行動設定部は、前記ユーザーが達成済みの課題行動を前記第１課題行動として設定しない、情報処理装置。
前記情報処理装置において、前記課題行動設定部は、前記達成度選択部において、前記未達成選択肢が選択された場合、前記第１課題行動とは異なるカテゴリーの第２課題行動を設定する、情報処理装置。
前記情報処理装置において、前記課題行動設定部は、前記達成度選択部において、所定時間、何も選択されなかった場合、前記第１課題行動と同じ課題行動を設定する、情報処理装置。
前記情報処理装置において、前記達成度選択部は、前記第１課題行動の達成度について、達成選択肢、再行動選択肢又は未達成選択肢を、１日のうちの所定時間に選択可能に構成される、情報処理装置。
ユーザーに第１課題行動を提示する情報処理方法であって、達成度選択工程と、課題行動設定工程と、を備え、前記達成度選択工程は、前記第１課題行動の達成度について、達成選択肢、再行動選択肢又は未達成選択肢を選択可能とし、前記課題行動設定工程は、前記達成度選択工程において、前記未達成選択肢が選択された場合、前記第１課題行動よりも難易度の低い第２課題行動を設定し、ここで、前記第１課題行動の難易度が最も低い場合、異なるカテゴリーの第２課題行動を設定する、情報処理方法。
プログラムであって、コンピュータを、前記情報処理装置の各部として機能させるための、プログラム。
もちろん、この限りではない。
【符号の説明】
【００４９】
１００  ：情報処理装置
１１０  ：制御部
１１１  ：達成度選択部
１１２  ：課題行動設定部
１１３  ：問診情報取得部
１２０  ：記憶部
１２１  ：行動情報
１２２  ：難易度情報
１２３  ：カテゴリー情報
１３０  ：表示部
１４０  ：入力部
１５０  ：通信部
２１０  ：第１課題行動
２１１  ：メッセージ
２２０  ：記憶部
３１０  ：達成選択肢
３２０  ：再行動選択肢
３３０  ：未達成選択肢
【要約】
【課題】ユーザーが手軽に生活習慣を改善できる情報処理装置を提供すること。
【解決手段】本発明の一態様によれば、ユーザーに第１課題行動を提示する情報処理装置が提供される。この情報処理装置は、達成度選択部と、課題行動設定部と、を備える。達成度選択部は、第１課題行動の達成度について、達成選択肢、再行動選択肢又は未達成選択肢を選択可能に構成される。課題行動設定部は、達成度選択部において、未達成選択肢が選択された場合、第１課題行動よりも難易度の低い第２課題行動を設定する。第１課題行動の難易度が最も低い場合、異なるカテゴリーの第２課題行動を設定する。
【選択図】図１【図１】
0006810496.tif 000002
【図２】
0006810496.tif 000003
【図３】
0006810496.tif 000004
【図４】
0006810496.tif 000005
【図５】
0006810496.tif 000006
【図６】
0006810496.tif 000007
【図７】
0006810496.tif 000008